(57)【要約】【課題】天井板の意匠面を傷付けることなく中間側板を嵌め込むことのできる乗かごの組立方法の提供。【解決手段】中間側板３０ｂの長さ寸法Ｌ１を、天井板９から床枠８までの長さ寸法Ｌ２より所定寸法短く設定するとともに、中間側板３０ｂを除く他の側板を天井板９、床枠８および隣接側板に固定した後、中間側板３０ｂを嵌め込み、かつ、ジャッキボルト１０を床枠８の下方から螺進させ中間側板３０ｂを天井板９方向に押し上げて固定し、中間側板３０ｂと床枠８間の間隙にライナ１１を挿入する。【選択図】      図１
2004196488.tif 000002
【特許請求の範囲】
【請求項１】
乗かごの壁面を構成する側板を複数枚に分割し、中間側板を除く他の側板を天井板、床枠および隣接側板に固定した後、中間側板を乗かごの内側から嵌め込み固定するエレベータの乗かご組立方法において、
前記中間側板の長さ寸法を、前記天井板から前記床枠までの長さ寸法より所定寸法短く設定するとともに、前記中間側板を除く他の側板を天井板、床枠および隣接側板に固定した後、前記中間側板を嵌め込み、かつ、前記中間側板を前記天井板方向に押し上げて固定し、前記中間側板と前記床枠間の間隙にライナを挿入することを特徴とするエレベータの乗かご組立方法。
【請求項２】
前記中間側板と前記床枠とを固定する固定ボルトをジャッキボルトとし、このジャッキボルトを螺進することにより前記中間側板を前記天井板方向に押し上げて固定することを特徴とする請求項１記載のエレベータの乗かご組立方法。
【発明の詳細な説明】
【０００１】
【発明の属する技術分野】
本発明は、エレベータの乗かご組立方法に係り、特に、乗かごの壁面を構成する側板を複数枚に分割し、これらの側板を乗かごの内側から嵌め込み固定するエレベータの乗かご組立方法に関する。
【０００２】
【従来の技術】
図３は従来一般に用いられているエレベータの乗かごの平面図、図４は中間側板の嵌め込み動作を示し、図３のＸ−Ｘ線に沿う側面図である。
【０００３】
乗かご１は図３に示すように、乗かご１の両側面をそれぞれ構成する側面側板２ａ、２ｂ、２ｃと、乗かご１の背面を構成する背面両脇側板３ａ、３ｃおよび背面中間側板３ｂと、出入口に配設されるかごドア４と、かごドア４の両側に立設される出入口柱５と、出入口柱５と側面側板２ａ間に配設される前面側板６とを備えている。また、前記の背面中間側板３ｂは図４に示すように、乗かご１の床７に固定された床枠８と、乗かご１の天井を構成する天井板９との間に配設される。さらに、前記の床枠８は図４に示すように、その上端、下端に折曲部８ａ、８ｂを有し、折曲部８ｂが床７と当接する。また、背面中間側板３ｂも、その上端、下端に折曲部３ｂ１、３ｂ２を有し、折曲部３ｂ１が天井板９、折曲部３ｂ２が床枠８の折曲部８ａと当接する。
【０００４】
このように構成された従来の乗かご１にあってその組立は、まず側面側板２ａ〜２ｃ、背面両脇側板３ａ、３ｃおよび前面側板６のそれぞれを天井板９、床枠８および隣接側板に固定した後、背面中間側板３ｂを乗かご１の内側から水平移動させて嵌め込み固定するようになっている（例えば、特許文献１、特許文献２参照。）。
【０００５】
【特許文献１】
特開昭６３−２７７１８８号公報  （第2頁、左欄下段２０行−右欄下段１５行、第3図）
【０００６】
【特許文献２】
特開平３―１９２０８８号公報  （第4頁、右欄上段１行−左欄下段１２行、第1図）
【０００７】
【発明が解決しようとする課題】
ところで、前述した従来のものでは、背面中間側板３ｂを嵌め込む際、作業者は背面中間側板３ｂの両脇を把持して作業を行うことから、この背面中間側板３ｂを水平移動させることは実質不可能であり、図４に示すように背面中間側板３ｂの下端を支点として回動させながら床枠８と天井板９間に嵌め込むことになる。しかし、矢印Ｙに示すように背面中間側板３ｂの嵌め込み時にこの背面中間側板３ｂの上端と天井板９が干渉し、天井板９の意匠面を傷付けてしまうという問題があった。
【０００８】
本発明はこのような従来技術における実情に鑑みてなされたもので、その目的は、天井板の意匠面を傷付けることなく中間側板を嵌め込むことのできる乗かごの組立方法を提供することにある。
【０００９】
【課題を解決するための手段】
この目的を達成するために本発明の請求項１に係る発明は、乗かごの壁面を構成する側板を複数枚に分割し、中間側板を除く他の側板を天井板、床枠および隣接側板に固定した後、中間側板を乗かごの内側から嵌め込み固定するエレベータの乗かご組立方法において、前記中間側板の長さ寸法を、前記天井板から前記床枠までの長さ寸法より所定寸法短く設定するとともに、前記中間側板を除く他の側板を天井板、床枠および隣接側板に固定した後、前記中間側板を嵌め込み、かつ、前記中間側板を前記天井板方向に押し上げて固定し、前記中間側板と前記床枠間の間隙にライナを挿入するようにしてある。
【００１０】
本発明の請求項１に係る発明によれば、乗かごの側板の組立は、まず中間側板を除く他の側板を天井板、床枠および隣接側板に固定する。この時、中間側板を除く他の側板と床材との固定部には、予め所定寸法のライナが取付けてある。その後、中間側板を嵌め込み、次いで、中間側板を天井板方向に押し上げて固定するとともに、中間側板と床枠間に生じた間隙にライナを挿入する。中間側板はその長さ寸法が天井板から床枠までの長さ寸法より所定寸法短く設定されていることから、この中間側板の嵌め込み時に天井板に干渉することがなく、したがって、天井板の意匠面に傷が付くことを防止できる。一方、中間側板の長さ寸法が天井板から床枠までの長さ寸法より短く設定されたことに伴い中間側板と床枠間に生じる間隙はライナにより覆われることから意匠的にも強度的にも問題はない。
【００１１】
また  本発明の請求項２に係る発明は、前記中間側板と前記床枠とを固定する固定ボルトをジャッキボルトとし、このジャッキボルトを螺進することにより前記中間側板を前記天井方向に押し上げて固定するようにしてある。
【００１２】
本発明の請求項２に係る発明によれば、中間側板を嵌め込んだ後、ジャッキボルトを中間側板および床枠に螺合し、この状態でジャッキボルトを螺進させ中間側板を天井板方向に押し上げ固定する。このように中間側板と床枠とを固定する固定ボルトをジャッキボルトとすることにより、中間側板の押し上げおよび固定を共に実施することができ、作業効率の向上を図ることができる。
【００１３】
【発明の実施の形態】
以下、本発明のエレベータの乗かご組立方法の実施の形態を図に基づいて説明する。
【００１４】
図１は本発明のエレベータの乗かご組立方法の一実施形態を示す側面図、図２は中間側板を押し上げ、間隙にライナを挿入した状態を示す側面図である。
【００１５】
なお、前述した図４に示すものと同等のものには同一符号が付してある。すなわち、１は乗かご、７は床、８は床枠、８ａ、８ｂは折曲部、９は天井板である。また、乗かご１の基本的な構成は前述した図３に示すものと同等であることから説明を省略する。
【００１６】
本実施形態の背面中間側板３０ｂは図１に示すように、その長さ寸法Ｌ１が、天井板９から床枠７までの長さ寸法Ｌ２より所定寸法短く設定されているとともに、その上端、下端に折曲部３０ｂ１、３０ｂ２を有している。また、図２に示すように背面中間側板３０ｂと床枠７との固定はジャッキボルト１０を介して行われ、このジャッキボルト１０は床枠８の折曲部８ａに形成される図示しない螺子孔に螺合可能となっている。さらに、背面中間側板３０ｂを押し上げた際に生じる間隙に挿入されるライナ１１を備えている。なお、背面中間側板３０ｂの長さ寸法Ｌ１は、この背面中間側板３０ｂを嵌め込む際に天井板９に干渉しない程度の長さに設定されているとともに、この背面中間側板３０ｂの長さ寸法Ｌ１に応じてライナ１１の厚さ寸法も設定されることとなる。
【００１７】
また、背面中間側板３０ｂを除く他の側板、即ち、前述した図３に示す側面側板２ａ〜２ｃ、背面両脇側板３ａ，３ｃおよび前面側板６の長さ寸法Ｌ１も、背面中間側板３０ｂと同様に設定されており、各々と床板８との固定部には予めライナ１１と同じ厚さ寸法の図示しないライナが取付けてある。
【００１８】
この実施形態にあっては、乗かご１の壁面を構成する側板の組立は、まず背面中間側板３０ｂを除く他の側板、すなわち、側面側板２ａ〜２ｃ、背面両脇側板３ａ、３ｃおよび前面側板６を天井板９、床枠８および隣接側板に固定する。この後、背面中間側板３０ｂを図１に示すようにその下端を支点として回動させながら床枠８と天井板９間に嵌め込む。次いで、ジャッキボルト１０を床枠８の折曲部８ｂの下方から螺進させ背面中間側板３０ｂを天井板９方向に押し上げ、折曲部３０ｂ２を天井板８に当接させた状態で固定する。次に、背面中間側板３０ｂと床枠８間に生じた間隙にライナ１１を挿入する。
【００１９】
このように構成した実施形態では、背面中間側板３０ｂはその長さ寸法Ｌ１が天井板９から床枠８までの長さ寸法Ｌ２より所定寸法短く設定されていることから、この背面中間側板３０ｂの嵌め込み時に天井板９に干渉することがなく、したがって、天井板９の意匠面に傷が付くことを防止できる。一方、背面中間側板３０ｂの長さ寸法Ｌ１が天井板９から床枠８までの長さ寸法Ｌ２より短く設定されたことに伴い背面中間側板３０ｂと床枠８間に生じる間隙はライナ１１により覆われることから意匠的にも強度的にも問題はない。また、背面中間側板３０ｂと床枠８とを固定する固定ボルトをジャッキボルト１０とすることにより、背面中間側板３０ｂの押し上げおよび固定を共に実施することができ、作業効率の向上を図ることができる。
【００２０】
【発明の効果】
本発明の請求項１記載の発明によれば、中間側板はその長さ寸法が天井板から床枠までの長さ寸法より所定寸法短く設定されていることから、この中間側板の嵌め込み時に天井板に干渉することがなく、したがって、乗かごの側板の組立時に天井板の意匠面に傷が付くことを防止し、顧客に対して質の高い製品の納入を行うことができる。
【００２１】
また、本発明の請求項２記載の発明によれば、中間側板と床枠とを固定する固定ボルトをジャッキボルトとすることにより、中間側板の押し上げおよび固定を共に実施することができ、作業効率の向上を図ることができる。
【図面の簡単な説明】
【図１】本発明のエレベータの乗かご組立方法の一実施形態を示す側面図である。
【図２】中間側板を押し上げ、間隙にライナを挿入した状態を示す側面図である。
【図３】従来一般に用いられているエレベータの乗かごの平面図である。
【図４】中間側板の嵌め込み動作を示し、図３のＸ−Ｘ線に沿う側面図である。
【符号の説明】
１                乗かご
２ａ、２ｂ、２ｃ  側面側板
３ａ、３ｃ        背面両脇側板
４                かごドア
５                出入口柱
６                前面側板
７                床
８                床枠
９                天井板
１０              ジャッキボルト
１１              ライナ
３０ｂ            背面中間側板
【図１】
2004196488.tif 000003
【図２】
2004196488.tif 000004
【図３】
2004196488.tif 000005
【図４】
2004196488.tif 000006